(57)【特許請求の範囲】
【請求項１】
ＣＡＴＶシステムに、商用電源の供給停止時に機器に電力を供給する無停電電源装置（１）と、前記機器に無停電電源装置（１）のバッテリー等の予備電源から電源が供給されたか商用電源から電源が供給されたかを判別、監視する監視装置（２）が設けられ、監視装置（２）とその近くのＣＡＴＶシステム加入者宅（３）の受信機（４）との間に通信回線が配線され、監視装置（２）は前記機器に無停電電源装置（１）のバッテリー等の予備電源から電源が供給されると自動的に警報信号を発生し、同警報信号は前記通信回線を通して前記加入者宅（３）の受信機（４）に送信され、警報信号が当該受信機（４）で受信されると、その受信機（４）から加入者宅（３）に警報信号があったことを報知する警報が発生され、警報信号が受信された加入者宅（３）からＣＡＴＶシステムのセンターに警報信号が受信された旨が通報されると、通報を受けたセンターで無停電電源装置（１）の予備電源が使用されていることが確認できるようにしたことを特徴とする無停電電源装置を備えたＣＡＴＶシステムにおける無停電電源装置の電源監視方法。
【発明の詳細な説明】
【０００１】
【産業上の利用分野】
本発明は無停電電源装置を備えたＣＡＴＶシステムにおいて、同システムの各種機器、例えば増幅器に電力を供給している電源が商用電源であるか無停電電源装置のバッテリー等の予備電源であるかを監視する無停電電源装置の電源監視方法に関するものである。
【０００２】
【従来の技術】
一般的なＣＡＴＶシステムでは図２のように商用電源（ＡＣ１００Ｖ）がダウン（停電）しても放送が中断されないように中継増幅器の電源に無停電電源装置Ａが備えられている。この無停電電源装置Ａの予備電源には通常はバッテリーが使用されており、商用電源がダウンすると自動的に予備電源に切り替り、それからの電力がインバーターにより交流に変換されて中継増幅器へ供給される。この無停電電源装置Ａには他の電気設備と同様に１次側に保安装置（ブレーカー）Ｂを設け、同保安装置Ｂを介して商用電源が供給されるようにしてある。
【０００３】
【発明が解決しようとする課題】
前記無停電電源装置Ａは商用電源の停電により予備電源に切り替っても、商用電源の停電が解消されれば自動的に予備電源から商用電源に戻るが、何らかの事情（例えば落雷によるサージ電流の混入）で１次側のブレーカーＢが落ちると停電が解消されても予備電源から商用電源に戻らず、予備電源から電力が供給され続ける。センターではＣＡＴＶシステムの無停電電源装置Ａに予備電源が供給されているのか、商用電源が供給されているのかを把握することができないため、そのまま放送が継続されると予備電源の電力が尽きたとき（バッテリーの放電時間：通常２〜４時間経過時）に突如として放送が停止してしまい、加入者に迷惑がかかるという問題があった。
【０００４】
本発明の目的は、前記問題を解消するため、ＣＡＴＶシステムの機器に無停電電源装置の予備電源から電力供給されていることをＣＡＴＶシステムのセンターで確認できるようにした無停電電源装置の電源監視方法を提供することにある。
【０００５】
【課題を解決するための手段】
本発明の無停電電源装置を備えたＣＡＴＶシステムにおける無停電電源装置の電源監視方法は図１に示すように、ＣＡＴＶシステムに、商用電源の供給停止時に機器に電力を供給する無停電電源装置１と、前記機器に無停電電源装置１のバッテリー等の予備電源から電源が供給されたか商用電源から電源が供給されたかを判別、監視する監視装置２が設けられ、監視装置２とその近くのＣＡＴＶシステム加入者宅３の受信機４との間に通信回線が配線され、監視装置２は前記機器に無停電電源装置１のバッテリー等の予備電源から電源が供給されると自動的に警報信号を発生し、同警報信号は前記通信回線を通して前記加入者宅３の受信機４に送信され、警報信号が当該受信機４で受信されると、その受信機４から加入者宅３に警報信号があったことを報知する警報が発生され、警報信号が受信された加入者宅３からＣＡＴＶシステムのセンターに警報信号が受信された旨が通報されると、通報を受けたセンターで無停電電源装置１の予備電源が使用されていることが確認できるようにしたものである。
【０００６】
【作用】
【０００７】
本発明の無停電電源装置を備えたＣＡＴＶシステムにおける無停電電源装置の電源監視方法では、商用電源から無停電電源装置１の予備電源に切り替ると、その切り替りを監視している監視装置２から警報信号が発生し、同警報信号が通信線により無停電電源装置１の近くのＣＡＴＶシステム加入者宅３に送信され、同警報信号が加入者宅３の受信機４で受信されるため、予めこの加入者に警報信号の受信があったらそれをＣＡＴＶシステムのセンター１０に知らせるよう依頼しておき、この加入者からセンター１０へ通報があれば同センター１０で無停電電源装置１の予備電源か使用されていることを確認することができる。このとき、商用電源に異常がなければ無停電電源装置の１次側に異常があることを知ることができるので作業員が無停電電源装置に出向いて装置の１次側の異常を確認し、その異常を直すことができる。また、この電源監視方法では警報信号の加入者宅３の受信機に通信線により送信しているので無線局の免許が不要であり実施が容易である。
【０００８】
【実施例１】
図１は本発明の無停電電源装置を備えたＣＡＴＶシステムにおける無停電電源装置の電源監視方法の一実施例を示したものであり、ＣＡＴＶのセンター１０から送出される放送信号が伝送路１１によって伝送され、同信号が伝送路１１に接続された増幅器１２で増幅されながら各ＣＡＴＶシステム加入者宅３へと送信されている。また、各増幅器１２は無停電電源装置１から電力供給を受けて作動している。
【０００９】
前記無停電電源装置１は商用電源（ＡＣ１００Ｖ）とバッテリー等の予備電源の２系統の電源を備え、同装置１に１次側のブレーカー１３から正常にＡＣ１００Ｖが供給されているとＡＣ１００Ｖをそのまま或は所望の電圧に降下して増幅器１２に電力供給し、１次側のブレーカー１３からの電力供給がストップすると自動的に予備電源の直流をインバーターで所望電圧の交流に変換して増幅器１１に電力供給する。
【００１０】
この無停電電源装置１の隣には同装置１の電源が商用電源であるか予備電源であるかを判別、監視する監視装置２が取り付けてあり、この監視装置２は無停電電源装置１の電源が商用電源から予備電源に切り替ると自動的に警報信号を発生するように構成されている。また、監視装置２と加入者宅３の受信機４とは有線の通信回線で結ばれていて、監視装置２から発生される警報信号がその有線（通信線）で無停電電源装置１の近くの加入者宅３の受信機４に伝送されて、その受信機４で受信されて、加入者宅４の人間に知らせるようにしてある。
【００１１】
受信機４では警報信号を受信するとそれをＬＥＤ等による光や、スピーカー等によるブザー音、音声合成装置音で加入者宅３の人に知らせることができるようになっている。なお、その場に人がいないという状況も想定して、前記光や音による警報は継続して或は断続的に続くようにし、人が戻ってきたときに警報信号の受信があったことを知ることができるようにしてある。加入者は警報信号の受信を知ったらすぐにＣＡＴＶのセンター１０に電話連絡して知らせる。そしてセンター１０の管理者は無停電電源装置１の電源が商用電源から予備電源に切り替った原因を検討すると共に、必要に応じてその無停電電源装置１に出向き、１次側のブレーカー１３が落ちている場合にはこれを正常復帰させ、その他、異常があるときは設備の点検・修理等を行う。
【００１２】
【００１３】
【発明の効果】
本発明の無停電電源装置を備えたＣＡＴＶシステムにおける無停電電源装置の電源監視方法では、商用電源から無停電電源装置１の予備電源に切り替ると、それが有線でＣＡＴＶシステム加入者宅３の受信機４に送信されて加入者に報じられるので、この加入者がセンター１０に電話などで連絡することにより、ＣＡＴＶシステムの機器への給電が無停電電源装置１の予備電源により行われていることをセンター１０で知ることができる。従って何らかの原因で予備電源から商用電源に自動復帰しなくても、予備電源が尽きる対策を実施することができ、放送停止に至る事故を未然に防ぐことができる。また、監視装置２と無停電電源装置１の近くの加入者宅３の受信機４を有線（通信線）で結ぶだけで警報情報を伝達することができるので実施が容易である。
【図面の簡単な説明】
【図１】  本発明の無停電電源装置を備えたＣＡＴＶシステムにおける無停電電源装置の電源監視方法の一実施例を示す概略図。
【図２】  従来の無停電電源を備えたＣＡＴＶシステムの一例を示す概略図。
【符号の説明】
１  無停電電源装置
２  監視装置
３  加入者宅
４  受信機
【図１】
0003950039.tif 000002
【図２】
0003950039.tif 000003